(57)【要約】【課題】自動床洗浄機やウェットバキューマー等を用いた洗浄作業に使い勝手がよく、施工されたフロアーポリッシュ組成物皮膜や床材を傷めず、優れた洗浄力と消泡性および希釈液の安定性を兼ね備えた、より高性能な床面用洗浄剤組成物およびそれを用いた床面洗浄方法を提供する。【解決手段】ポリオキシアルキレンモノ（またはビス、トリス）ａ−メチルスチリルフェニルエーテル（Ａ成分）と、２−  エチルヘキシルアルコールエチレンオキサイド・プロピレンオキサイド付加物（Ｂ成分））とが所定割合で含有されているとともに、この組成物の１．０質量％水溶液のｐＨが、２５℃で、６〜８に設定されている。【選択図】なし【特許請求の範囲】
【請求項１】
下記の（Ａ）成分および（Ｂ）成分が、組成物全体に対し下記の割合で含有され、かつ、その両成分の配合割合（Ａ：Ｂ）が、質量基準で１２：１〜２：１に設定されているとともに、この組成物の１．０質量％水溶液のｐＨ（ＪＩＳＺ−８８０２：１９８４「ｐＨ測定方法」）  が、２５℃で、６〜８に設定されていることを特徴とする床面用洗浄剤組成物。
（Ａ）ポリオキシアルキレンモノ（またはビス、トリス）ａ−メチルスチリルフェニルエーテル５〜５０質量％。
（Ｂ）２−  エチルヘキシルアルコールエチレンオキサイド・プロピレンオキサイド付加物０．４〜２５質量％。
【請求項２】
（Ｃ）成分として、キレート剤が含有されている請求項１記載の床面用洗浄剤組成物。
【請求項３】
上記キレート剤が、カルボキシル基含有重合体、有機酸またはそれらの塩から選ばれる少なくとも１種のキレート剤である請求項２記載の床面用洗浄剤組成物。
【請求項４】
上記カルボキシル基含有重合体が、アクリル酸重合体またはアクリル酸マレイン酸共重合体である請求項２または３記載の床面用洗浄剤組成物。
【請求項５】
上記請求項１〜４のいずれか一項に記載の床面用浄剤組成物を、界面活性剤有効成分濃度が１００〜１，０００ｍｇ／Ｌとなるよう希釈し、その希釈液を自動床洗浄機に供給して床面の洗浄を行うようにしたことを特徴とする床面の洗浄方法。
【発明の詳細な説明】
【０００１】
【発明の属する技術分野】
本発明は、洗浄性や消泡性、希釈液の安定性に優れ、洗浄対象面への影響もより少ない床面用洗浄剤組成物およびそれを用いた床面洗浄方法に関する。さらに詳しくは、化学床や石床、コンクリート床およびシールされた木床などに洗浄に優れ、特に、自動床洗浄機やウェットバキューム等を用いた機械による床面洗浄に好適な床面用洗浄剤組成物およびそれを用いた床面洗浄方法に関するものである。
【０００２】
【従来の技術】
通常、木質系床材、合成樹脂からなる化学床材、コンクリートや大理石等の石床などの床面には、床材の美観を保つともに、床面の保護を目的として、フロアーフィニッシュ組成物による皮膜が形成されている。上記フロアーフィニッシュ組成物は、「ＪＦＰＡ（日本フロアーポリッシュ工業会）規格−００」、フロアーポリッシュ試験方法通則の用語の定義に規定されている。
【０００３】
この規格において、フロアーポリッシュ組成物は、水性，乳化性，油性の３つに大別され、なかでも水性にあっては、ポリマータイプとワックスタイプに分類されている。また、乳化型及び油性にあってはワックスタイプのみとなっている。そして、現在は、水性ポリマータイプのフロアーポリッシュ組成物が主流となっており、通常、床面に２〜６層塗り重ねて皮膜形成がなされるようになっている。
【０００４】
上記水性ポリマータイプフロアーポリッシュを塗布した床面（フロアーポリッシュ組成物皮膜）は、光沢のある美観を呈しているが、時間が経過するにつれて、歩行によるスリ傷等の摩耗や汚れが皮膜に付着して美観が損なわれる。
【０００５】
このため、フロアーポリッシュ組成物皮膜の形成された床面に対しては、中性〜アルカリ性の床面用洗浄剤組成物を用いた洗浄・すすぎ作業を、１〜２回／月程度の間隔で行うようになっている。そして、上記表面洗浄では完全には除去し切れない汚れが蓄積し、上記表面洗浄を繰り返し続けても所望の美観が維持できなくなった時点で、フロアーポリッシュ組成物皮膜の一部または全部を、剥離剤組成物を用いて剥離除去し、新たにフロアーポリッシュ組成物を塗布・乾燥させて、フロアーポリッシュ組成物被膜を再形成し、床面の美観を維持管理する作業を行うようになっている。
【０００６】
このような床面洗浄作業に用いられる床面洗浄剤組成物としては、以下に示すようなものが提案されている。
【０００７】
例えば、合成樹脂ワックスの溶解力に優れ、手荒れが少なく床材への影響もないものとして、特定のフェノールエチレンオキシド付加物と、特定のグリコール系溶剤およびアルコール系溶剤と、エタノールアミンとを含む水溶液とで構成された床用洗浄剤（特許文献１を参照）が提案されている。
【０００８】
また、テラゾー等の石製の床表面の汚れの洗浄に有用であるとして、ポリオキシエチレンラウリルエーテル等のノニオン界面活性剤と、モノ長鎖アルキル型第４級アンモニウム塩カチオン界面活性剤（例えば、アルキルベンジルジメチルアンモニウムクロライド）と、ヒドロキシアルキルセルロースとを所定割合で含有してなるフロアー用液体洗浄剤組成物（特許文献２を参照）が提案されている。
【０００９】
さらに、洗浄性に優れ、かつ光沢のある平滑な皮膜を与えるものとして、ベンジルアルコール等のアルコール系溶剤およびエチレングリコールモノベンジルエーテル等のグリコ−ル系溶剤から選ばれる１種以上の溶剤と、モノエタノ−ルアミン等のアミン類と、フッソ系界面活性剤（例えば、パーフルオロアルキルカルボン酸塩）とを水に溶解した水溶液から構成された床用洗浄剤（特許文献３を参照）が提案されている。
【００１０】
また、優れた洗浄力と消泡性を有し、自動床洗浄機またはウェットバキューマーで床洗浄を行う場合にも好適なものとして、アニオン系界面活性剤、カチオン系界面活性剤、ノニオン系界面活性剤およびグリコ−ルエ−テル系溶剤、有機ビルダーを所定の割合で含有する床面用洗浄剤組成物（特許文献４を参照）が提案されている。
【００１１】
そして、床面に与える影響が少なく、優れた洗浄性及び消泡性を有し、効率的に床洗浄作業を行うことができるものとして、窒素を含有する界面活性剤、有機ビルダーおよびアルコ−ル系消泡剤（好ましくは、ポリオキシエチレンポリオキシプロピレンアルキルエーテル）を所定割合で含有し、有機ビルダ−に対する界面活性剤の重量比が０．３以上５未満であり、かつｐＨが５〜９である床面用洗浄剤組成物（特許文献５を参照）が提案されている。
【００１２】
【特許文献１】
特開平２−２７４８００号公報
【特許文献２】
特開平３−１８２５９７号公報
【特許文献３】
特開平７−１７９８９２号公報
【特許文献４】
特開２００１−２４７８９２号公報
【特許文献５】
特開２００２−１５５２９７号公報
【００１３】
【発明が解決しようとする課題】
しかし、床面に施工された汚染したフロアーポリッシュ組成物被膜の一部または全部を剥離除去する目的で、アルカリ性洗浄剤や、溶剤主剤とするアルカリ性剥離剤を用いることは、それなりに効果があるものの、床面の日常管理において、床表面に付着する靴跡のヒールマークや土砂やホコリおよび歩行により持ち込まれる舗装道路のピッチやタールなどの汚れに対してアルカリ性洗浄剤を用いると、施工されたフロアーポリッシュ組成物皮膜まで洗浄・剥離除去されてしまうため、床表面に光沢度の低下やムラを発生させる結果となることが指摘されている。さらに、アルカリ性洗浄剤に対して退色や変色を起こしやすいリノリウムや天然ラバー製の床材および表面のシールが摩耗して地肌が晒されている木床などにアルカリ性洗浄剤を多用することの問題も指摘されている。
【００１４】
また、近年、学校、病院、空港、大規模小売店舗、百貨店、スーパーマーケット等においては、大幅な床面の維持管理費の削減が求められており、限られた人件費と作業時間内において、少人数で広大な床面を短時間で清掃することが要求されている。このため、効率的に床洗浄ができる自動床洗浄機やウェットバキューマー機が多用されているが、これらの床洗浄機器類は、床面にスプレーされた洗浄剤水溶液を吸引回収する機構を有しているため、汚水タンクに回収された洗浄剤水溶液が泡立ちやすく、汚水タンクがすぐに泡で満たされて作業の中断を余儀なくされて作業効率の低下につながるといった問題がある。
【００１５】
こうした泡立ちの問題を解決すべく、低起泡性の界面活性剤、脂肪酸石鹸および消泡性に優れたシリコーンコンパウンドなどを組み合わせた低泡性の床面用洗浄剤組成物も提案されているが、経済的理由から、洗浄液供給タンク内の希釈液を、次回以降の作業時までタンク内に貯留したままの状態にしておくと、抑泡成分が分離析出・凝集・分解し、効果のないものとなってしまっていることが少なくなく、所望の抑泡性能が得られないとともに、析出したスカム等の固形物がスプレーノズルに詰まり、故障の原因となるという問題がある。
【００１６】
特に、ＨＬＢおよび曇点が低めの低起泡性界面活性剤主体の床面用洗浄剤組成物は、希釈された状態で長期間保管すると、系のバランスを崩し、低ＨＬＢの低起泡性界面活性剤が分離したり油状膜に希釈液面に浮遊したりするという問題もある。
【００１７】
また、消泡成分として脂肪酸石鹸を配合した床面用洗浄剤組成物は、希釈され相対的に石鹸濃度が希薄な状態になったとき、脂肪酸が遊離することにより消泡効果を発揮するが、特に、水質の悪い高硬度な水で希釈して、長い間保管したままにすると、水に不溶なカルシウム石鹸が形成され脂肪酸は分離、油状化およびスカム化して上記のような弊害をもたらす原因となる。
【００１８】
さらに、消泡成分としてシリコーンコンパウンドを配合した床面用洗浄剤組成物は、それ自体が水に難溶な油状物質であるため、基本的に原液での安定性維持が難しいことに加え、希釈し放置されると、容易に系のバランスがくずれ、油状物質が析出する傾向が大きい。
【００１９】
上記のように、従来の床面用洗浄剤組成物は、アルカリによるフロアーポリッシュ組成物皮膜および床材への影響や、自動床洗浄機稼働時の泡立ちの問題および洗浄剤水溶液の経日安定性等が問題となっている。そして、床洗浄機器類の需要がさらに高まっている状況において、これらの問題を生じない、より高性能な床面用洗浄剤組成物の実用化が強く望まれている。
【００２０】
本発明は、このような事情に鑑みてなされたもので、自動床洗浄機やウェットバキューマー等を用いた洗浄作業に使い勝手がよく、しかも施工されたフロアーポリッシュ組成物皮膜や床材を傷めず、優れた洗浄力と消泡性および希釈液の安定性を兼ね備えた、より高性能な床面用洗浄剤組成物およびそれを用いた床面洗浄方法の提供をその目的とする。
【００２１】
【課題を解決するための手段】
上記の目的を達成するため、本発明は、下記の（Ａ）成分および（Ｂ）成分が、組成物全体に対し下記の割合で含有され、かつ、その両成分の配合割合（Ａ：Ｂ）が、質量基準で１２：１〜２：１に設定されているとともに、この組成物の１．０質量％水溶液のｐＨ（ＪＩＳＺ−８８０２：１９８４「ｐＨ測定方法」）  が、２５℃で、６〜８に設定されている床面用洗浄剤組成物を第１の要旨とする。
（Ａ）ポリオキシアルキレンモノ（またはビス、トリス）ａ−メチルスチリルフェニルエーテル５〜５０質量％。
（Ｂ）２−  エチルヘキシルアルコールエチレンオキサイド・プロピレンオキサイド付加物０．４〜２５質量％。
【００２２】
また、本発明は、そのなかでも、特に、（Ｃ）成分として、キレート剤が含有されている床面用洗浄剤組成物を第２の要旨とし、上記キレート剤が、カルボキシル基含有重合体、有機酸またはそれらの塩から選ばれる少なくとも１種のキレート剤である床面用洗浄剤組成物を第３の要旨とし、上記カルボキシル基含有重合体が、アクリル酸重合体またはアクリル酸マレイン酸共重合体である床面用洗浄剤組成物を第４の要旨とする。
【００２３】
さらに、本発明は、上記のいずれかの床面用浄剤組成物を、界面活性剤有効成分濃度が１００〜１，０００ｍｇ／Ｌとなるよう希釈し、その希釈液を自動床洗浄機に供給して床面の洗浄を行うようにした床面の洗浄方法を第５の要旨とする。
【００２４】
すなわち、本発明者は、多くの低起泡性界面活性剤や消泡効果のある脂肪酸石鹸やシリコーンコンパウンド等を鋭意検討した結果、２種類の特定の低起泡性界面活性剤を組み合わせて用いると、洗浄性と消泡性および希釈液の安定性に優れた床面用洗浄剤組成物となることを見いだし、本発明に到達した。
【００２５】
【発明の実施の形態】
つぎに、本発明の実施の形態を詳しく説明する。
【００２６】
まず、本発明の床面用洗浄剤組成物は、ポリオキシアルキレンモノ（またはビス、トリス）ａ−メチルスチリルフェニルエーテル（Ａ成分）と、２−エチルヘキシルアルコールエチレンオキサイド・プロピレンオキサイド付加物（Ｂ成分）とを、必須成分として含有している。
【００２７】
上記（Ａ）成分であるポリオキシアルキレンモノ（またはビス、トリス）ａ−メチルスチリルフェニルエーテルは、優れた洗浄力と低泡性を兼ね備えた主剤となる界面活性剤であり、曇点が高い割りには、泡立ちが低めで高温領域における安定性も確保しやすい。具体的には、エチレンオキサイド（ポリオキシエチレン；ＥＯ）を１〜２０モル付加したものがあげられる。なかでも、特に、７〜１０モル付加物が好ましい。
【００２８】
そして、ポリオキシアルキレンモノ（またはビス、トリス）ａ−メチルスチリルフェニルエーテル配合量は、床面用洗浄剤組成物全体に対して、５．０〜５０質量％の範囲内に設定しなければならない。すなわち、５質量％未満の配合量では、所望の洗浄力を発揮する性能に乏しく、また、５０質量％を超えると、他の成分とのバランスから不安定となって白濁し、貯蔵安定性に劣る。上記範囲のなかでも、特に、７．５〜３５質量％が好ましく、より好ましくは１０〜２０質量％である。
【００２９】
また、上記（Ｂ）成分である２−エチルヘキシルアルコールエチレンオキサイド・プロピレンオキサイド付加物は、上記（Ａ）成分による低泡性をさらに補足して、より優れた消泡性を与えるために配合される。
【００３０】
（Ｂ）成分におけるエチレンオキサイド（ポリオキシエチレン；ＥＯ）の付加モル数は０．５〜５モル、プロピレンオキサイド（ポリオキシプロピレン；ＰＯ）の付加モル数は１５〜５０モルのものが用いられ、なかでも、エチレンオキサイド０．５〜２モルとプロピレンオキサイド８〜４０モルとを付加したものが好ましい。そして、特に、エチレンオキサイド１．３モルとプロピレンオキサイド１８．７モルとを付加したものが好適である。
【００３１】
上記２−エチルヘキシルアルコールエチレンオキサイド・プロピレンオキサイド付加物の配合量は、床面用洗浄剤組成物全体に対して、０．４〜２５質量％の範囲内に設定しなければならない。すなわち、０．４質量％未満の配合量では、消泡性能を発揮するのに乏しく、また、２５質量％を超えてもすでに消泡効果は充分に発揮されており、過剰な配合は、安定性を損ない油状の成分が析出する原因になるからである。上記範囲のなかでも、特に、１〜１７質量％が好ましく、より好ましくは２．５〜１０質量％である。
【００３２】
さらに、本発明において、上記（Ａ）成分と（Ｂ）成分との配合割合（Ａ：Ｂ）は、１２：１〜２：１の範囲に設定しなければならない。（Ａ）成分の割合が上記範囲よりも大きいと、系の安定性は確保されるものの、充分な消泡性能が発揮されない。一方、（Ａ）成分が上記範囲よりも小さいと、消泡効果は発揮されるものの、安定性は確保できなくなる。
【００３３】
なお、上記（Ｂ）成分に代えて、消泡性を有する他の界面活性剤や脂肪酸石鹸、シリコーン系消泡剤、鉱油系消泡剤などとの組み合わせを検討したが、（Ａ）成分との相性が悪く、所望の消泡性能が発揮できないばかりか、系の安定性が維持できなかった。
【００３４】
また、本発明の床面用洗浄剤組成物には、任意成分として、キレート剤（Ｃ成分）を配合することができる。上記キレート剤を配合すると、より一層優れた消泡性を付与することができるとともに、原液および希釈液の状態で長期間保管しても成分の分離や沈殿物などは一切発生せず、系の安定性を長期にわたって良好に保持できる。
【００３５】
上記（Ｃ）成分のキレート剤としては、アクリル酸、マレイン酸、メタクリル酸、アコニット酸等の少なくとも一種からなるカルボキシル基含有単量体の重合体および共重合体、並びにその水溶性アルカリ金属塩や、クエン酸，リンゴ酸，酒石酸，コハク酸，グルコン酸，フタル酸等の有機酸およびこれらのアルカリ金属塩等があげられる。上記水溶性アルカリ金属塩としては、ナトリウム塩、カリウム塩、アンモニウム塩、エタノールアミン塩があげられるが、なかでもナトリウム塩、カリウム塩が好ましい。これらは単独で用いても２種以上を併用してもよい。
【００３６】
より詳しくは、アクリル酸、マレイン酸、メタクリル酸、アコニット酸等の少なくとも一種からなるカルボキシル基含有単量体の重合体および共重合体、並びにその水溶性アルカリ金属塩としては、ポリアクリル酸、ポリマレイン酸、ポリメタクリル酸、ポリアコニット酸、ポリアクリル酸ナトリウム、ポリマレイン酸ナトリウム、ポリメタクリル酸ナトリウム、ポリアコニット酸ナトリウム、アクリル酸−ビニル化合物共重合体、スチレン−マレイン酸共重合体、イソアミレン−無水マレイン酸共重合体、メチルビニルエーテル−マレイン酸共重合体、アクリル酸−マレイン酸共重合体、アクリル酸−ビニル化合物共重合体のナトリウム塩、スチレン−マレイン酸共重合体のナトリウム塩、イソアミレン−無水マレイン酸共重合体のナトリウム塩、メチルビニルエーテル−マレイン酸共重合体のナトリウム塩、アクリル酸−マレイン酸共重合体のナトリウム塩等があげられる。また、クエン酸，リンゴ酸，酒石酸，コハク酸，グルコン酸，フタル酸等の有機酸およびこれらのアルカリ金属塩としては、クエン酸，リンゴ酸，酒石酸，コハク酸，グルコン酸，フタル酸、クエン酸ナトリウム，リンゴ酸ナトリウム，酒石酸ナトリウム，コハク酸ナトリウム，グルコン酸ナトリウム，酒石酸ナトリウム，フタル酸ナトリウム、クエン酸カリウム、グルコン酸カリウム等があげられる。
【００３７】
本発明では、上記キレート剤の中でも、マレイン酸、アクリル酸の少なくとも一方を単量体とする重合体または共重合体並びにその水溶性アルカリ塩が好ましく、その例としては、マレイン酸重合体、アクリル酸重合体、マレイン酸とアクリル酸との共重合体およびこれらの水溶性アルカリ金属塩があげられる。そして、特に、好ましくは、ポリマレイン酸ナトリウム、ポリアクリル酸ナトリウム、アクリル酸とマレイン酸との共重合体のナトリウム塩が用いられる。
【００３８】
そして、マレイン酸重合体、アクリル酸重合体およびその水溶性アルカリ金属塩の平均分子量は、６００〜１５，０００のものが好適に用いられ、特に好ましくは１，０００〜１５，０００のものが用いられる。また、マレイン酸とアクリル酸の共重合体および水溶性金属塩の平均分子量としては、１，０００〜１００，０００のものが好適に用いられ、特に好ましくは５０，０００〜８０，０００のものが用いられる。上記キレート剤は、ｐＨ調整され、中和して用いることができるが、それ自身の酸性により、他の成分を中和するためのｐＨ調整機能を果たす場合もある。
【００３９】
上記キレート剤（Ｃ成分）の配合量は、床面用洗浄剤組成物全体に対して、０．１〜３．０質量％の範囲内に設定することが好適である。すなわち、０．１重量％未満の配合量では、所望の硬水軟化性能や汚れの分散性能の向上効果に乏しく、また、３重量％を超えても著しい効果は発揮されないし、不経済でもある。
【００４０】
本発明の床面用洗浄剤組成物には、上記（Ｃ）成分のキレート剤の他、任意成分として、ｐＨ調整剤、水、水溶性有機溶媒、染料、香料、殺菌剤、防腐剤など、従来の洗浄剤組成物において使用されている公知の添加物を加えることができる。
【００４１】
このうち、ｐＨ調整剤としては、水酸化ナトリウム、水酸化カリウム等の水酸化アルカリ金属塩、ケイ酸ナトリウム、ケイ酸カリウム等のケイ酸塩、炭酸ナトリウム、炭酸カリウム等の炭酸塩等のアルカリ、またはクエン酸、リンゴ酸、酒石酸、コハク酸、グルコン酸等の有機酸、硫酸、塩酸、硝酸等の鉱酸を用いることができる。これらは、本発明の床面用洗浄剤組成物のｐＨを調製するために、１．０質量％水溶液のｐＨ（ＪＩＳ  Ｚ−８８０２：１９８４「ｐＨ測定方法」）が、２５℃で６〜８になるよう添加される。
【００４２】
これらの必須成分および任意成分を用いて得られる本発明の床面用洗浄剤組成物は、中性であるため、床に塗布したフロアーポリッシュ組成物皮膜を傷めることなく、またリノリウムや天然ラバー製の床材および表面のシールが摩耗して地肌が晒されている木床などにの床材に対しても、退色や変色を起こすことなく安心して床洗浄を行うことができる。そして、万が一、皮膚に付着するようなことがあっても、その刺激性は従来のアルカリ性洗浄剤と比べはるかに低いので、作業員はより安全に床洗浄が行えるという利点を有する。加えて、排出された洗浄液排水のｐＨは中性であるために環境負荷もより小さいものとなっている。
【００４３】
そして、本発明の床面用洗浄剤組成物は、水道水で希釈され、上記した床材に対してウェスやモップで塗布したり、自動床洗浄機やウェットバキューマーなどの床洗浄機器類等によって床面の洗浄作業に用いることが好適である。このときの洗浄剤希釈液は、界面活性剤の有効成分濃度として１００〜１，０００ｍｇ／Ｌの範囲に希釈調整することが好ましい。
【００４４】
特に、本発明の床面用洗浄剤組成物は、消泡性能と希釈液の安定性に優れているので、上記のように、液を希釈した状態で自動床洗浄機により用いると、従来問題となっていたタンク内での泡立ちや、供給液の保存安定性を解決することができ、最適に用いることができる。したがって、効率的で経済的な床洗浄を実現することができる。
【００４５】
【実施例】
以下、本発明の床面用洗浄剤組成物について、実施例と比較例により本発明を詳細に説明する。なお、本発明はこれらに限定されるものではない。
【００４６】
【実施例１〜１０、比較例１〜３６】
後記の表１〜表１２に示す組成の床面用洗浄剤組成物（以下、単に「洗浄剤組成物」という）を調製し、そのｐＨを測定するとともに、貯蔵安定性、低泡性、洗浄性、フロアーポリッシュ組成物皮膜に対する影響の４項目について評価した。その結果を後記の表１〜表１２に併せて示す。なお、各項目の試験方法は、以下に示すとおりである。そして、表１〜表１２の各成分において、水以外の成分は不揮発分換算である。
【００４７】
（１）ｐＨ測定
〔測定方法〕
ｐＨメーター（東亜電波工業株式会社製、型式：ガラス電極式水素イオン濃度計Ｓ−９１４）を用いて、ＪＩＳ  Ｚ−８８０２：１９８４に従い、供試洗浄剤組成物の１．０質量％希釈液の２５℃におけるｐＨを測定した。
【００４８】
（２）貯蔵安定性
〔試験方法〕
（２−１）  供試洗浄剤組成物を２５０ｍＬのポリエチレン瓶に入れ、恒温槽（小林理化器械工業社製、型式：ＫＡＸ−７３４）により５０℃の雰囲気下に置くとともに、冷凍冷蔵庫（ホシザキ社製、型式：ＨＲＦ−９０Ｐ型）により５℃の雰囲気下に置き、その状態で調整時から１ケ月間保管した。そして、その外観を目視により定期的に観察し、後記の判定基準で評価した。
（２−２）  供試洗浄剤組成物を、硬度１５０ｍｇ／Ｌの人工硬水（総硬度１５０ｍｇ／Ｌ）で１質量％希釈液とし、２５０ｍＬのポリエチレン瓶に入れ、恒温槽（小林理化器械工業社製、型式：ＫＡＸ−７３４）により３８℃の雰囲気下に置くとともに、冷凍冷蔵庫（ホシザキ社製、型式：ＨＲＦ−９０Ｐ型）により５℃の雰囲気下に置き、その状態で調整時から１ケ月間保管した。そして、その外観を目視により定期的に観察し、下記の判定基準で評価した。
〔判定基準〕
◎：１カ月後、分離・析出等の外観変化は全くなかった。
○：２週間後、分離・析出等の外観変化がわずかに認められた。
△：１週間後、分離・析出等の外観変化がわずかに認められた。
×：１日後に、分離もしくは析出等の外観変化が認められた。
××：配合直後に、分離もしくは析出等の外観変化が認められた。
【００４９】
なお、上記（２−１）および（２−２）の貯蔵安定性試験において、高温保管温度が５０℃と３８℃とそれぞれ異なるのは、（２−１）では、供試洗浄剤組成物が製品の原液として真夏の倉庫や営業車に保管されることを考慮して、５０℃という高温を想定したのである。また、（２−２）の希釈液の場合には、作業現場の自動床洗浄機の洗浄液供給タンク中への保管であり、３８℃程度が現実的であるとの判断に基づくものである。
【００５０】
（３）低泡性
〔試験方法〕
供試洗浄剤組成物を、水道水で希釈し３０Ｌの希釈液とし、自動床洗浄機（ジョンソン・プロフェッショナル社製、型式：ＪＡ−１７）の洗浄液供給タンクに入れ、実際の現場の床面を稼動、走行した。自動床洗浄機による床洗浄は調整した希釈液３０Ｌ分がなくなるまで実施し、希釈液が床面にスプレーされ洗浄機の汚水タンク内にすべて回収されるまで稼動した。
低泡性の判定は、汚水タンク内の回収された希釈液の泡立ちの状態を目視により観察し、下記の評価基準で評価した。
・希釈洗剤の濃度：界面活性剤の有効成分濃度として６００ｍｇ／Ｌになるよう調整した。
〔判定基準〕
◎：希釈液３０Ｌ分が完全に汚水タンクに戻されるまで、泡立ちはほとんどなく稼動できた。
○：希釈液３０Ｌ分が完全に汚水タンクに戻されるまで稼動できたが幾分かの泡立ちがあった。
△：希釈液の１５Ｌ以上は汚水タンクに戻されたが、泡立ちが多くて、３０Ｌ分までは稼動できなかった。
×：稼動後してから数分後に、泡が発生して汚水タンク内に装備された泡を感知するフロートスイッチが作動して洗浄機の稼動がすぐに停止して自動床洗浄ができなかった。
××：稼動直後に、著しい泡が発生して汚水タンク内に装備された泡を感知するフロートスイッチが作動して、自動床洗浄が全くできなかった。
【００５１】
（４）洗浄性
〔試験方法〕
白色ホモジニアスビニル床タイル（東リ社製、商品名：ホモジニアスビニル床タイルＨＴ、ＭＳプレーン）にフロアーポリッシュ組成物（ジョンソン・プロフェッショナル社製、商品名：グランプリ）を４回塗布、乾燥後、下記の条件に示すフロア用人工汚垢を塗布した。その後、下記実施例１〜１０および比較例１〜３６の各洗浄剤組成物を水道水で希釈し、界面活性剤の有効成分濃度が６００ｍｇ／Ｌの希釈液とし、ウォッシャビリティー試験機を用いて、下記に示す条件に従って、人工汚垢試験床を洗浄した。そして、人工汚垢を塗布する前と、塗布後および洗浄後の床材の明度を色差計（ミノルタ社製、型式：色彩色差計ＣＲ−３３１）で測定し、下記の式（１）によって洗浄率（％）を求めた。
2005008706.tif 000002
【００５２】
（５）床材への影響
〔試験方法〕
黒色ホモジニアスビニル床タイル（東リ社製、商品名：ホモジニアスビニル床タイルＨＴ、ＭＳプレーン）にフロアーポリッシュ組成物（ジョンソン・プロフェッショナル社製、商品名：ノンバフ）を３回塗布、乾燥後、下記実施例１〜１０および比較例１〜３６の各洗浄剤組成物を、水道水で希釈して界面活性剤の有効成分濃度が６００ｍｇ／Ｌの希釈液とし、１．０ｍＬを試験床に滴下し５分間放置した。その後、希釈液をウェスで軽く拭き取り、滴下部分のフロアーポリッシュ組成物皮膜の洗剤による影響の度合いを目視により観察し、下記の判定基準で評価した。
〔判定基準〕
○：皮膜は全く変化なく皮膜は正常であった。
△：白化現象がみられた。
×：皮膜は溶解した。
【００５３】
【表１】
2005008706.tif 000003
【００５４】
【表２】
2005008706.tif 000004
【００５５】
【表３】
2005008706.tif 000005
【００５６】
【表４】
2005008706.tif 000006
【００５７】
【表５】
2005008706.tif 000007
【００５８】
【表６】
2005008706.tif 000008
【００５９】
【表７】
2005008706.tif 000009
【００６０】
【表８】
2005008706.tif 000010
【００６１】
【表９】
2005008706.tif 000011
【００６２】
【表１０】
2005008706.tif 000012
【００６３】
【表１１】
2005008706.tif 000013
【００６４】
【表１２】
2005008706.tif 000014
【００６５】
なお、上記表  １〜表１２に示す各成分の詳細は以下に示すとおりである。
【００６６】
・非イオン界面活性剤１（Ａ成分）；
ポリオキシアルキレンモノ（またはビス、トリス）−α−メチルスチリルフェニルエーテル、エチレンオキサイド８モル付加物。曇点＝約５８℃。
商品名：サンモールＭＰ−８０Ｎ（ローディア日華社製）
【００６７】
・非イオン界面活性剤２（Ａ成分）；
ポリオキシアルキレンモノ（またはビス、トリス）−α−メチルスチリルフェニルエーテル、エチレンオキサイド１０モル付加物。曇点＝約７２℃。
商品名：サンモールＭＰ−１００Ｎ（ローディア日華社製）
【００６８】
・非イオン界面活性剤３（Ｂ成分）；
２−エチルヘキシルアルコールエチレンオキサイド１．３モル・プロピレンオキサイド１８．７モル付加物。曇点＝２４℃。
商品名：レオコン１０２０Ｈ（ライオン社製）
【００６９】
・非イオン界面活性剤４；
ブチルアルコールのエチレンオキサイド（ｍ）・プロピレンオキサイド（ｎ）（ｍ＋ｎ＝１５）付加物。
商品名：レオコン１０１５Ｂ（ライオン社製）
【００７０】
・非イオン界面活性剤５；
ポリオキシエチレンアルキルエーテル；  Ｃ１２〜１４分岐アルコールのエチレンオキサイド９モル付加物。曇点＝５６℃。
商品名：ソフタノール９０（日本触媒社製）
【００７１】
・非イオン界面活性剤６；
ポリオキシエチレンアルキルエーテル；  分岐デカノール−エチレンオキサイド５モル付加物。ＨＬＢ＝１１．６、曇点＝６４℃。
商品名：ルテンゾールＸＬ−５０（ＢＡＳＦ社製）
【００７２】
・非イオン界面活性剤７；
ポリオキシアルキレンアルキルエーテル；  Ｃ１２〜１４分岐アルコールのエチレンオキサイド５モル・プロピレンオキサイド３．５モル付加物。曇点＝２０℃。
商品名：ソフタノールＥＰ−５０３５（日本触媒社製）
【００７３】
・非イオン界面活性剤８；
ポリオキシアルキレンアルキルエーテル；  Ｃ１０（イソデシルアルコール）のエチレンオキサイド（ｍ）・プロピレンオキサイド（ｎ）（ｍ＋ｎ＝６）モル付加物。ＨＬＢ＝１２、曇点＝３４℃。
商品名：ノイゲンＳＤＸ−６０（第一工業製薬社製）
【００７４】
・非イオン界面活性剤９；
ポリオキシプロピレンアルキルエーテル；  Ｃ１０（デシルアルコール）のプロピレンオキサイド４モル付加物。ＨＬＢ＝３、曇点＝２６℃。
商品名：ＮＬダッシュ−４００（第一工業製薬社製）
【００７５】
・非イオン界面活性剤１０；
メタキシレンスルホン酸ナトリウム（有効成分量：９３質量％）。
商品名：エルテゾールＳＸ９３（ハインツマン社製）
【００７６】
・非イオン界面活性剤１１；
ポリオキシアルキレンアルキルエーテル；  Ｃ１２〜１５（合成アルコール）のエチレンオキサイド（ｍ）・プロピレンオキサイド（ｎ）（ｍ＋ｎ＝７）モル付加物。ＨＬＢ＝１３．１、曇点＝５６℃。
商品名：ナロアクティーＮ−９．５（三洋化成工業社製）
【００７７】
・非イオン界面活性剤１２；
末端封鎖脂肪族アルコールアルコキシレート。曇点＝３８℃（ブチレングリコール中）。
商品名：プルラファックＬＦ−４３１（ＢＡＳＦ社製）
【００７８】
・消泡剤１；
シリコンコンパウンド。シリコン、鉱油、ポリエーテル、水等の混合物
商品名：ＳＮ  ディフォーマー７７７（サンノプコ社製）
【００７９】
・消泡剤２；
ポリグリコール系界面活性剤。
商品名：アンチフロスＦ−３２０（第一工業製薬社製）
【００８０】
・脂肪酸；
トールオイル脂肪酸
商品名：パーマックＷ４Ｂ（播磨化成工業社製）
【００８１】
・有機アルカリ成分；
トリエタノールアミン
商品名：トリエタノールアミン（日本触媒社製）
【００８２】
・無機アルカリ成分；
メタケイ酸ナトリウム９水和物
商品名：メタケイ酸ソーダ−９水塩（日本化学工業社製）
【００８３】
・キレート剤（Ｃ成分）；
ポリアクリル酸ナトリウム（平均分子量＝７，０００、有効成分量：４０質量％）
商品名：ジュリマーＡＣ−１０３（日本純薬社製）
【００８４】
・キレート剤（Ｃ成分）；
アクリル酸マレイン酸共重合体（平均分子量＝７０，０００、有効成分量：９２質量％）
商品名：ソカランＣＰ−４５Ｇｒａｎｕｌｅｓ（ＢＡＳＦ社製）
【００８５】
・キレート剤（Ｃ成分）；
クエン酸３ナトリウム２水和物
商品名：クエン酸三ナトリウム結晶、食添（磐田化学工業社製）
【００８６】
・ｐＨ調整剤１；
クエン酸１水和物
商品名：クエン酸結晶ＦＧ（磐田化学工業社製）
【００８７】
・ｐＨ調整剤２；
水酸化ナトリウム
商品名：カセイソーダ２５％（セントラル化学社製、有効成分量：２５質量％）
【００８８】
上記の結果から、実施例品はいずれも、上記全ての評価項目において、優れた特性を示すことがわかる。
【００８９】
【発明の効果】
以上のように、本発明の床面用洗浄剤組成物は、洗浄力と消泡性および洗浄剤水溶液の貯蔵安定性に優れているため、自動床洗浄機（ウェットバキューマー等の機械を含む）に利用するのに好適であり、効果的かつ効率的な床洗浄を行うことができる。したがって、迅速な床管理が要求される今日の建物管理において、効果的かつ効率的な床洗浄を行うことができる。また液性が中性であることから、床材や床材に塗布されたフロアーポリッシュ組成物皮膜に与える影響もより少なく、加えて、作業者にもより安全で洗浄排液の環境負荷も少ない。